(57)【特許請求の範囲】
【請求項１】
（ａ）原稿載置面を備えた載置板と、
（ｂ）該載置板の下方において、主走査方向に延在させて、副走査方向に移動自在に配設され、前記載置板に載置された原稿の画像を読取センサによって読み取る画像読取ユニットと、
（ｃ）前記読取センサと処理部とを電気的に接続し、読取センサの出力を処理部に送るための電気ケーブルと、
（ｄ）前記載置板の裏面の所定の箇所に配設された低摩擦部材とを有するとともに、
（ｅ）前記読取センサによって原稿の画像が読み取られる読取範囲外において、前記電気ケーブルの幅方向における一部が前記低摩擦部材と接触させられ、
（ｆ）前記電気ケーブルと前記低摩擦部材とが接触する部分において、低摩擦部材の幅は電気ケーブルの幅の半分以上に設定されることを特徴とする画像読取装置。
【請求項２】
（ａ）前記電気ケーブルは湾曲させられた中間部分を備え、
（ｂ）画像読取装置の筐体の底壁に、前記中間部分を変位させるための溝部が形成される請求項１に記載の画像読取装置。
【請求項３】
主走査方向において、前記低摩擦部材の一方の縁部が前記電気ケーブルの一方の縁部より前記読取範囲外側に置かれる請求項１又は２に記載の画像読取装置。
【請求項４】
前記請求項１〜３のいずれか１項に記載の画像読取装置が配設された画像形成装置。
【発明の詳細な説明】
【技術分野】
【０００１】
本発明は、画像読取装置及び画像形成装置に関するものである。
【背景技術】
【０００２】
従来、スキャナ等の画像読取装置、及び複写機、ファクシミリ、複合機等の画像形成装置においては、原稿の画像を読み取る画像読取部が配設されるようになっている。
【０００３】
該画像読取部においては、原稿が載置される原稿載置台のガラス板の下方に、画像読取ユニットが副走査方向に移動自在に配設され、画像読取ユニットが副走査方向に移動するのに伴って、画像読取ユニットに配設されたイメージセンサが、原稿に光を照射し、原稿からの反射光を光電変換して電気信号を生成し、該電気信号が、イメージセンサと接続された電気ケーブルを介して制御基板に送られる（例えば、特許文献１参照。）。
【先行技術文献】
【特許文献】
【０００４】
【特許文献１】特開２００５−１１５０３１号公報
【発明の概要】
【発明が解決しようとする課題】
【０００５】
しかしながら、前記従来の画像読取部においては、ガラス板の下方で前記画像読取ユニットが移動するのに伴って、前記電気ケーブルがガラス板に対して摺動させられて摩擦が発生させられ、該摩擦によって、画像読取ユニットの両端に加わる負荷のバランスが崩れて画像読取ユニットが蛇行し、イメージセンサによって生成される電気信号に乱れが生じたり、ガラス板に汚れ、傷等が生じたりして、読取画像の品位が低下してしまう。
【０００６】
また、電気ケーブルが、ガラス板に対して摺動させられることによって摩耗し、画像読取部の耐久性を低下させてしまう。
【０００７】
本発明は、前記従来の画像読取部の問題点を解決して、読取画像の品位を向上させることができ、耐久性を向上させることができる画像読取装置及び画像形成装置を提供することを目的とする。
【課題を解決するための手段】
【０００８】
そのために、本発明の画像読取装置においては、原稿載置面を備えた載置板と、該載置板の下方において、主走査方向に延在させて、副走査方向に移動自在に配設され、前記載置板に載置された原稿の画像を読取センサによって読み取る画像読取ユニットと、前記読取センサと処理部とを電気的に接続し、読取センサの出力を処理部に送るための電気ケーブルと、前記載置板の裏面の所定の箇所に配設された低摩擦部材とを有する。
そして、前記読取センサによって原稿の画像が読み取られる読取範囲外において、前記電気ケーブルの幅方向における一部が前記低摩擦部材と接触させられる。
また、前記電気ケーブルと前記低摩擦部材とが接触する部分において、低摩擦部材の幅は電気ケーブルの幅の半分以上に設定される。
【発明の効果】
【０００９】
本発明によれば、画像読取装置においては、原稿載置面を備えた載置板と、該載置板の下方において、主走査方向に延在させて、副走査方向に移動自在に配設され、前記載置板に載置された原稿の画像を読取センサによって読み取る画像読取ユニットと、前記読取センサと処理部とを電気的に接続し、読取センサの出力を処理部に送るための電気ケーブルと、前記載置板の裏面の所定の箇所に配設された低摩擦部材とを有する。
そして、前記読取センサによって原稿の画像が読み取られる読取範囲外において、前記電気ケーブルの幅方向における一部が前記低摩擦部材と接触させられる。
また、前記電気ケーブルと前記低摩擦部材とが接触する部分において、低摩擦部材の幅は電気ケーブルの幅の半分以上に設定される。
【００１０】
この場合、載置板の裏面の所定の箇所に低摩擦部材が配設されるので、載置板の下方で画像読取ユニットが移動するのに伴って低摩擦部材と電気ケーブルとの間に発生する摩擦を小さくすることができる。
【００１１】
したがって、摩擦によって、画像読取ユニットの両端に加わる負荷のバランスが崩れて画像読取ユニットが蛇行し、読取センサによって生成される電気信号に乱れが生じるのを防止することができる。その結果、読取画像の品位を向上させることができる。
【００１２】
また、電気ケーブルと載置板の裏面とが直接接触することがないので、載置板に汚れ、傷等が生じることがない。したがって、読取画像の品位を一層向上させることができる。
【００１３】
さらに、電気ケーブルが摩耗するのを抑制することができるので、画像読取装置の耐久性を向上させることができる。
【図面の簡単な説明】
【００１４】
【図１】本発明の第１の実施の形態における画像読取部の要部を示す第１の断面図である。
【図２】本発明の第１の実施の形態における複合機の斜視図である。
【図３】本発明の第１の実施の形態における画像読取部の平面図である。
【図４】図３のＡ−Ａ断面図である。
【図５】図３のＢ−Ｂ断面図である。
【図６】本発明の第１の実施の形態における画像読取部の要部を示す第２の断面図である。
【図７】本発明の第２の実施の形態における画像読取部の平面図である。
【図８】本発明の第２の実施の形態における画像読取部の要部を示す断面図である。
【発明を実施するための形態】
【００１５】
以下、本発明の実施の形態について図面を参照しながら詳細に説明する。この場合、画像形成装置としての複合機について説明する。
【００１６】
図２は本発明の第１の実施の形態における複合機の斜視図である。
【００１７】
図において、Ｍｆは複合機、１０は媒体としての用紙に対して画像を形成するための画像形成部（プリンタ部）、１１は該画像形成部１０の上方に配設され、被読取媒体としての原稿の画像を読み取るための画像読取部（スキャナ部）である。前記画像形成部１０内には図示されない印刷機構が配設される。なお、画像読取部１１は単体の画像読取装置として機能する。
【００１８】
前記印刷機構は、前記複合機Ｍｆの上位装置としての、かつ、外部情報機器としての図示されないホストコンピュータから送られた印刷データに基づいて用紙に対して画像を形成したり、画像読取部１１において読み取られた原稿の画像のデータ、すなわち、画像データを受け、該画像データに基づいて用紙に対して画像を形成したりする。
【００１９】
前記画像読取部１１は、原稿を載置するための第１の原稿載置部としての原稿載置台１４、及び該原稿載置台１４の上方において、ヒンジｈｇを介して原稿載置台１４に対して開閉自在に配設された第２の原稿載置部としての原稿カバー１６を備える。
【００２０】
前記原稿載置台１４は合成樹脂によって形成された筐体Ｃｓを備え、該筐体Ｃｓは、上面が開口された箱型の形状を有する下側筐体としての下フレーム２１、及び該下フレーム２１の上面を覆う上側筐体としての上カバー２２を備え、該上カバー２２に、透光性を有する被読取媒体載置面としての、かつ、載置板としての板材、本実施の形態においては、ガラス板１７が配設される。該ガラス板１７の上面、すなわち、原稿載置面に原稿を置き、原稿カバー１６を閉じることによって、原稿載置台１４において原稿を固定し、位置決めすることができる。
【００２１】
前記上カバー２２は、ガラス板１７の周縁を覆うとともに、ガラス板１７を上方から押さえる押え部２２ｆを備える。そして、ガラス板１７における押え部２２ｆより内側の部分、すなわち、ガラス板１７における上カバー２２から露出している部分が、後述される読取センサとしてのイメージセンサ２５によって原稿を読み取ることができる読取領域Ｓとなる。
【００２２】
また、前記下フレーム２１内における前記ガラス板１７の下方には、画像読取ユニット１８が主走査方向に延在させて、副走査方向に移動自在に配設される。
【００２３】
前記原稿カバー１６には、原稿トレイＴｒ１に載置された原稿を排紙トレイＴｒ２に連続して搬送する自動原稿送り部（ＡＤＦ）１５が配設され、原稿カバー１６を閉じた状態で、自動原稿送り部１５によって原稿を搬送すると、原稿は前記ガラス板１７上に配設されたプラテン２０を通過させられ、プラテン２０の下方において前記画像読取ユニット１８によって原稿の画像が読み取られる。
【００２４】
複合機Ｍｆの前面には、下フレーム２１から突出させて形成された操作パネル１９が配設され、該操作パネル１９は、各種のボタン、キー等を備えた操作部１９ａ、及び液晶画面等から成る表示部１９ｂを備える。
【００２５】
本実施の形態において、前記複合機Ｍｆは、操作者による操作部１９ａの操作に基づいて動作させられるが、複合機Ｍｆを、前記ホストコンピュータからスキャナドライバを介して送信される指示によって動作させることができる。
【００２６】
次に、画像読取部１１について説明する。
【００２７】
図１は本発明の第１の実施の形態における画像読取部の要部を示す第１の断面図、図３は本発明の第１の実施の形態における画像読取部の平面図、図４は図３のＡ−Ａ断面図、図５は図３のＢ−Ｂ断面図、図６は本発明の第１の実施の形態における画像読取部の要部を示す第２の断面図である。なお、図３においては下フレーム２１だけが図示され、上カバー２２は図示されていない。また、図３及び４において、矢印Ｅ方向は画像読取ユニット１８の主走査方向を、矢印Ｆ方向は画像読取ユニット１８の副走査方向を表す。
【００２８】
図において、１４は原稿載置台、Ｃｓは筐体、１７はガラス板、１８は画像読取ユニット、２１は下フレーム、２２は上カバー、２５はイメージセンサである。
【００２９】
前記下フレーム２１は、底壁２４ｂ、複合機Ｍｆ（図２）の前面側において前記底壁２４ｂから立ち上げて形成された前壁としての支持リブ２４ｆ、複合機Ｍｆの背面側において底壁２４ｂから立ち上げて形成された背壁としての支持リブ２４ｒ、複合機Ｍｆの側面側において底壁２４ｂから立ち上げて形成された側壁２４ｓ、２４ｓ’、底壁２４ｂの所定の箇所に形成され、後述される電気ケーブル３４を通すための孔ｈ１等を備える。前記ガラス板１７は、下フレーム２１の支持リブ２４ｆ、２４ｒによって支持され、上カバー２２の押え部２２ｆによって上方から押さえられる。また、イメージセンサ２５の矢印Ｅ方向における押え部２２ｆ間の領域が、イメージセンサ２５によって原稿を読み取ることができる読取範囲Ｌとなる。
【００３０】
下フレーム２１の中央部において、側壁２４ｓ、２４ｓ’間に矢印Ｆ方向に延在させてガイドシャフト２７が架設され、前記画像読取ユニット１８は、ガラス板１７の下方において前記ガイドシャフト２７に沿って矢印Ｆ方向に移動させられ、ガラス板１７上に置かれた原稿の画像を読み取る。
【００３１】
そのために、前記画像読取ユニット１８は、前記ガイドシャフト２７に沿って移動自在に配設されたキャリッジ２６、該キャリッジ２６の所定の箇所に取り付けられ、原稿に光を照射する光源としての図示されないＬＥＤ、前記キャリッジ２６上、すなわち、キャリッジ２６の表面（ガラス板１７と対向する面）に矢印Ｅ方向に延在させて取り付けられ、原稿からの反射光を光電変換して電気信号を生成するイメージセンサ２５、及び前記キャリッジ２６を走行させるための走査機構としてのベルト駆動機構２８を備える。
【００３２】
該ベルト駆動機構２８は、側壁２４ｓ’の近傍において回転自在に配設された駆動用の回転体としてのプーリ８１、側壁２４ｓの近傍において回転自在に配設された従動用の回転体としてのプーリ８２、プーリ８１、８２間に張設させられたベルト部材としてのタイミングベルト８３、前記プーリ８１に回転を伝達してタイミングベルト８３を走行させる駆動部８４等を備える。
【００３３】
また、前記キャリッジ２６は、矢印Ｅ方向に延在させて配設されたキャリッジ本体３１、該キャリッジ本体３１の裏面の中央部において、下方に向けて突出させて、かつ、ガイドシャフト２７を上方から跨ぐように形成され、ガイドシャフト２７と摺動自在に嵌合させられるシャフト受け部２９、及びタイミングベルト８３の所定の箇所にキャリッジ２６を固定するベルト掴持部３０を備える。
【００３４】
そして、前記駆動部８４を駆動してプーリ８１を回転させると、タイミングベルト８３が走行させられ、キャリッジ２６がガイドシャフト２７に沿って移動（往復動）させられ、これに伴って、画像読取ユニット１８がガラス板１７の下方で移動させられる。
【００３５】
前記イメージセンサ２５は、複数の光電変換素子から成り、キャリッジ本体３１に形成された帯状の溝に嵌合させて配設され、溝の内壁によって矢印Ｅ方向及び矢印Ｆ方向において位置決めされる。また、前記溝内の両端には、図示されないバネ受け部が形成され、該バネ受け部に配設された付勢部材としての図示されないコイルバネによって、イメージセンサ２５がガラス板１７に向けて付勢される。なお、イメージセンサ２５の両端には、支持リブ２４ｆ、２４ｒに隣接させてスペーサ３２が配設され、イメージセンサ２５は、前記スペーサ３２を介してガラス板１７の裏面に押し付けられる。これにより、イメージセンサ２５とガラス板１７との間に、所定の厚さの隙間が形成される。
【００３６】
また、キャリッジ２６の長手方向における一端側（支持リブ２４ｒ側）にはコネクタ部３３が配設され、該コネクタ部３３に電気ケーブル３４の一端が接続される。そして、電気ケーブル３４の他端が、画像読取部１１に配設された処理部としての、かつ、制御部としての図示されない制御基板と接続される。これにより、イメージセンサ２５と制御基板とが電気的に接続され、イメージセンサ２５の出力が制御基板に送られる。
【００３７】
電気ケーブル３４としては、前記ＬＥＤに電力を供給するための導線、光電変換素子によって生成された電気信号を出力するための導線等の複数の導線を並べて一体に絶縁被膜を施すことによって形成された、平帯形状を有するフレキシブル・フラット・ケーブルが使用される。該フレキシブル・フラット・ケーブルは、厚さが比較的薄くされ、一定の幅を有し、長手方向に帯状に延在させられる。
【００３８】
電気ケーブル３４は、前記コネクタ部３３から、キャリッジ２６の下面に沿って支持リブ２４ｒ側の読取範囲Ｌ外に向けて延在させられ、図５及び６に示されるように、読取範囲Ｌ外において側壁２４ｓ側に向けて延在させられ、所定の箇所で反転させられてほぼ「Ｕ」字状に湾曲させられ、側壁２４ｓ’側に向けて更に延在させられ、下フレーム２１に形成された前記孔ｈ１を貫通し、筐体Ｃｓ外において前記制御基板と接続される。
【００３９】
電気ケーブル３４において、読取範囲Ｌ外の部分、すなわち、キャリッジ２６に固定された部位と孔ｈ１を貫通する部位との間の中間部分ｐ１は、キャリッジ２６及び下フレーム２１のいずれにも固定されず、変形自在にされる。
【００４０】
なお、前記電気ケーブル３４は、必要な箇所、本実施の形態においては、コネクタ部３３の近傍及びキャリッジ２６の支持リブ２４ｒ側の端部において適宜折り曲げられて延在方向が変更される。また、前記電気ケーブル３４は、キャリッジ２６の下面に沿って延びる部分において、複数のフックＦｃによってキャリッジ２６に固定される。
【００４１】
ところで、電気ケーブル３４は復元性を有するので、湾曲した部分は直線状に戻ろうとする。また、電気ケーブル３４は可撓性を有するので、キャリッジ２６の移動に伴って中間部分ｐ１における湾曲する部分が変化する。
【００４２】
すなわち、中間部分ｐ１は、筐体Ｃｓ内において下フレーム２１及びガラス板１７に向けて上下方向に膨らみ、ガラス板１７の裏面と接触させられる。そして、キャリッジ２６の移動に伴って、中間部分ｐ１は、ガラス板１７の裏面と接触しながら、かつ、接触する部分をずらしながら副走査方向に移動させられる。
【００４３】
したがって、電気ケーブル３４は、キャリッジ２６の移動に伴って、中間部分ｐ１をガラス板１７の裏面と接触させ、接触する部分をずらしながらガラス板１７と摺動させられる。
【００４４】
これにより、キャリッジ２６が移動する間、電気ケーブル３４とガラス板１７との間に摩擦が発生し、該摩擦によって、画像読取ユニット１８の両端に加わる負荷のバランスが崩れて画像読取ユニット１８が蛇行し、イメージセンサ２５によって生成される電気信号に乱れが生じ、読取画像の品位が低下してしまう。
【００４５】
また、電気ケーブル３４がガラス板１７と摺動させられて摩耗し、画像読取部１１の耐久性を低下させてしまう。
【００４６】
そこで、本実施の形態においては、読取範囲Ｌ外におけるガラス板１７の裏面の所定の箇所に、電気ケーブル３４と接触させて低摩擦部材３８を貼着によって配設し、電気ケーブル３４とガラス板１７とが直接接触することがないようにしている。なお、前記低摩擦部材３８は、帯状のＰＴＦＥ（フッ素樹脂）シート、ＰＴＦＥテープ、超高分子量ポリエチレンフィルム等から成り、電気ケーブル３４と低摩擦部材３８との摩擦係数は、電気ケーブル３４とガラス板１７との摩擦係数より小さくされる。したがって、キャリッジ２６が移動する間、電気ケーブル３４と低摩擦部材３８との間に摩擦が発生するのを抑制することができる。
【００４７】
前記低摩擦部材３８は、矢印Ｅ方向において、電気ケーブル３４の幅よりわずかに広い幅を有し、矢印Ｆ方向において、キャリッジ２６が最も側壁２４ｓ側の位置（ホームポジション）に置かれたときに中間部分ｐ１が接触する位置から、最も側壁２４ｓ’側の位置に置かれたときに中間部分ｐ１が接触する位置にわたって配設される。
【００４８】
ところで、前記中間部分ｐ１における湾曲した部分が直線状に戻ろうとする力（復元力）は、矢印Ｆ方向におけるキャリッジ２６が置かれた位置によって異なる。すなわち、側壁２４ｓに近いほど、中間部分ｐ１はキャリッジ２６の近傍で湾曲させられるので、湾曲した部分が直線状に戻ろうとする力が大きく、側壁２４ｓから離れるほど、中間部分ｐ１はキャリッジ２６から離れた箇所で湾曲させられるので、湾曲した部分が直線状に戻ろうとする力が小さい。
【００４９】
したがって、キャリッジ２６が置かれた位置が側壁２４ｓに近いほど、中間部分ｐ１は下フレーム２１及びガラス板１７に向けて上下方向に大きく膨らむので、電気ケーブル３４と低摩擦部材３８との間に発生する摩擦が大きく、キャリッジ２６が置かれた位置が側壁２４ｓから離れるほど、中間部分ｐ１の膨らみは小さくなり、電気ケーブル３４と低摩擦部材３８との間に発生する摩擦が小さくなる。
【００５０】
そこで、下フレーム２１に向けて膨らんだ中間部分ｐ１を受けるために、読取範囲Ｌ外における前記側壁２４ｓの近傍の所定の領域に、前記下フレーム２１の底壁２４ｂによって溝部３６が形成される。該溝部３６は、底壁２４ｂの所定の箇所から側壁２４ｓに向けて次第に深くなるように傾斜させられた傾斜部３６ａ、及び底壁２４ｂの側壁２４ｓに隣接する箇所において一定の深さになるように平坦にされた平坦部３６ｂを備える。
【００５１】
したがって、キャリッジ２６が側壁２４ｓの近傍を移動させられる間、中間部分ｐ１を溝部３６側に変位させることができるので、電気ケーブル３４が低摩擦部材３８を押す力を小さくすることができる。その結果、電気ケーブル３４と低摩擦部材３８との間に発生する摩擦を小さくすることができる。
【００５２】
このように、本実施の形態においては、ガラス板１７の裏面の所定の箇所に、電気ケーブル３４と接触させて低摩擦部材３８が配設されるので、ガラス板１７の下方で画像読取ユニット１８が移動するのに伴って、電気ケーブル３４が低摩擦部材３８に対して摺動させられたときに発生させられる摩擦を小さくすることができる。
【００５３】
したがって、該摩擦によって、画像読取ユニット１８の両端に加わる負荷のバランスが崩れて画像読取ユニット１８が蛇行し、イメージセンサ２５によって生成される電気信号に乱れが生じるのを防止することができる。その結果、読取画像の品位を向上させることができる。
【００５４】
また、電気ケーブル３４とガラス板１７の裏面とが直接接触することがないので、ガラス板１７に汚れ、傷等が生じることがない。したがって、読取画像の品位を一層向上させることができる。
【００５５】
さらに、電気ケーブル３４が摩耗するのを抑制することができるので、画像読取部１１の耐久性を向上させることができる。
【００５６】
ところで、本実施の形態においては、前記電気ケーブル３４とガラス板１７とが直接接触することがないように、読取範囲Ｌ外におけるガラス板１７の裏面に低摩擦部材３８が配設されるようになっているので、電気ケーブル３４の幅に応じて低摩擦部材３８の幅を広くする必要がある。そして、低摩擦部材３８が配設された部分では原稿の画像を読み取ることができないので、読取領域Ｓを確保するためには、筐体Ｃｓをその分大きくする必要があり、複合機Ｍｆが大型化してしまう。
【００５７】
そこで、幅の広い電気ケーブル３４を使用した場合でも、読取領域Ｓを十分に確保することができるようにした本発明の第２の実施の形態について説明する。なお、第１の実施の形態と同じ構造を有するものについては、同じ符号を付与し、同じ構造を有することによる発明の効果については同実施の形態の効果を援用する。
【００５８】
図７は本発明の第２の実施の形態における画像読取部の平面図、図８は本発明の第２の実施の形態における画像読取部の要部を示す断面図である。なお、図７においては、下フレーム２１だけが図示され、上カバー２２は図示されていない。
【００５９】
本実施の形態においては、読取範囲Ｌ外における被読取媒体載置面としての、かつ、載置板としてのガラス板１７の裏面に低摩擦部材６８を貼着によって配設し、電気ケーブル６４とガラス板１７とが直接接触することがないようにしている。
【００６０】
この場合、電気ケーブル６４の幅が広いので、低摩擦部材６８の幅を電気ケーブル６４の幅に合わせて広くすると、低摩擦部材６８が配設された部分では原稿の画像を読み取ることができないので、読取領域Ｓ（図２）を確保するのが困難になってしまう。
【００６１】
そこで、本実施の形態においては、電気ケーブル６４を読取範囲Ｌ内から読取範囲Ｌ外にかけて延在させ、電気ケーブル６４の幅方向における一部を前記低摩擦部材６８と接触させるようにしている。この場合、低摩擦部材６８は、幅が電気ケーブル６４の幅より狭くされ、読取範囲Ｌ外におけるスペーサ３２より支持リブ２４ｒ側に配設される。そして、低摩擦部材６８における支持リブ２４ｒ側の縁部をｅｇ１とし、スペーサ３２側の縁部をｅｇ２とし、電気ケーブル６４における支持リブ２４ｒ側の縁部をｅｇ３とし、コネクタ部３３側の縁部をｅｇ４としたとき、縁部ｅｇ１、ｅｇ３は主走査方向（図７における矢印Ｅ方向）においてほぼ同じ位置に置かれ、縁部ｅｇ２は縁部ｅｇ４より支持リブ２４ｒ側（読取範囲Ｌ外側）の位置においてスペーサ３２と隣接させて置かれる。
【００６２】
なお、低摩擦部材６８の幅が電気ケーブル６４の幅の半分以下になると、キャリッジ２６を副走査方向（図７における矢印Ｆ方向）に移動させたときに、電気ケーブル６４を低摩擦部材６８と安定させて摺動させることができない。
【００６３】
そこで、本実施の形態においては、低摩擦部材６８の幅が、電気ケーブル６４の幅の半分以上になるように設定される。
【００６４】
また、電気ケーブル６４を低摩擦部材６８と摺動させたときに、電気ケーブル６４が低摩擦部材６８に対して傾斜することがあり、その場合、電気ケーブル６４とガラス板１７の裏面とが接触してしまう。そこで、本実施の形態においては、電気ケーブル６４が低摩擦部材６８に対して傾斜しても、電気ケーブル６４とガラス板１７の裏面とが接触することがないように、低摩擦部材６８の厚さが１〔ｍｍ〕以上にされる。そして、低摩擦部材６８の厚さを更に大きくすることによって、低摩擦部材６８の幅を更に狭くすることができる。
【００６５】
読取範囲Ｌ外における前記側壁２４ｓの近傍の所定の領域において、前記下フレーム２１の底壁２４ｂによって溝部７６が形成される。該溝部７６の幅は電気ケーブル６４の幅に応じて広く設定される。
【００６６】
この場合、低摩擦部材６８の幅を狭くすることができるので、図８に示されるように、電気ケーブル６４を読取範囲Ｌ内から読取範囲Ｌ外にかけて延在させることができる。
【００６７】
したがって、電気ケーブル６４の幅が広くても、読取領域Ｓを十分に確保することができるので、筐体Ｃｓを大きくする必要がなく、複合機Ｍｆが大型化するのを防止することができる。
【００６８】
前記各実施の形態においては、画像形成装置としての複合機Ｍｆについて説明したが、本発明を単体の画像読取装置に適用することができる。
【００６９】
なお、本発明は前記各実施の形態に限定されるものではなく、本発明の趣旨に基づいて種々変形させることが可能であり、それらを本発明の範囲から排除するものではない。
【符号の説明】
【００７０】
１１    画像読取部
１７    ガラス板
１８    画像読取ユニット
２５    イメージセンサ
３４、６４    電気ケーブル
３８、６８    低摩擦部材
【図１】
0006480777.tif 000002
【図２】
0006480777.tif 000003
【図３】
0006480777.tif 000004
【図４】
0006480777.tif 000005
【図５】
0006480777.tif 000006
【図６】
0006480777.tif 000007
【図７】
0006480777.tif 000008
【図８】
0006480777.tif 000009